(57)【要約】      （修正有）【課題】繰り返し使用しても性能が落ちない販促用ウズラ卵カッターを提供する。【解決手段】プラスチック製ウズラ卵カッター１は、指掛け部１１と環状保持部１２とを備えた第１部材１０と、指掛け部２１と刃部２３とを備えた第２部材２０とを、互いに回動可能に連結してなるハサミ型のものである。刃部２３の下面に弧状の突条２５が一体形成され、環状保持部１２の上面に全体で弧を描く溝部分１３，１３が形成され、斜め孔として形成された環状保持部１２に保持されたウズラ卵の殻には突条２５の先端の突起が最初に当たって割れ目を生じさせた後、刃先２２が内皮を切断していく。このとき溝部分１３，１３が突条２５をガイドするのでがたつきがなく、張り出し付き円筒と切り欠き付き円形孔で分解可能に組み立てられるので、水洗いによる衛生的使用や、販促品としての梱包時の嵩高減少にも効果を発揮する。【選択図】図１
0003174793.tif 000002
【実用新案登録請求の範囲】
【請求項１】
一端に指掛け部を備えると共に他端にウズラ卵を保持する環状保持部を備えたプラスチック製の第１部材と、一端に指掛け部を備えると共に他端にウズラ卵の内皮を切断し得る先鋭な刃先が形成された刃部を備えたプラスチック製の第２部材とを、前記環状保持部を前記刃部で塞いだ閉鎖位置と、前記環状保持部に前記刃部が重ならない開放位置との間で開閉可能となる様に、互いに回動可能に連結してなるハサミ型のウズラ卵カッターであって、さらに、以下の構成をも備えたことを特徴とするプラスチック製ウズラ卵カッター。
（１）前記刃部の下面には、下方に突出すると共に先端が刃先よりも飛び出した突起となる弧状の突条が一体形成されていること。
（２）前記環状保持部の上面には、前記弧状の突条を嵌り込ませる様に全体で弧を描く溝部分が形成されていること。
【請求項２】
さらに、以下の構成をも備えたことを特徴とする請求項１記載のプラスチック製ウズラ卵カッター。
（３）前記環状保持部の保持孔は、刃部から逃げる方向にウズラ卵を傾かせて保持し得る様に斜めに傾斜し、表面を梨地にした孔として形成されていること。
【請求項３】
さらに、以下の構成をも備えたことを特徴とする請求項１又は２記載のプラスチック製ウズラ卵カッター。
（４）前記第１部材と第２部材の一方に、円形孔と該円形孔よりも大径の裏面側円弧状窪みと、該円弧状窪みの一部を前記円形孔の中心に対して対称となる様に切り欠いて貫通させた切り欠き部とを形成し、前記第１部材と第２部材の他方に、前記円形孔に嵌り込む径の円筒を突出させると共に、該円筒の突出端に前記切り欠き部に嵌り込むと共に前記円弧状窪みに受け入れ可能な肉厚の張り出し部を形成し、さらに、該張り出し部の投影部分に対応して前記円筒の根元を切り欠いて貫通させ、前記第１部材と第２部材を、前記張り出し部が前記円弧状窪みに受け入れる様に前記円筒を前記円形孔に嵌り込ませて回転させることで、該第１部材と第２部材とが互いに回動可能となる連結構造を備えていること。
【考案の詳細な説明】
【技術分野】
【０００１】
本考案は、ウズラの生卵を割るためのハサミ型のカッターに関する。
【背景技術】
【０００２】
従来より、図４に示す様なハサミ型のウズラ卵カッターが知られている。
【先行技術文献】
【特許文献】
【０００３】
【特許文献１】特開昭５４−１３５０７３号公報（図１，図２）
【考案の概要】
【考案が解決しようとする課題】
【０００４】
従来のウズラ卵カッターは金属製だから、ウズラ卵を容易に割ることができるが、価格が高くなるため、ウズラ卵の販促品とするのは難しかった。
【０００５】
本考案は、販促品としても使用可能で繰り返し使用しても性能が落ちることのないプラスチック製ウズラ卵カッターを提供することを目的とする。
【課題を解決するための手段】
【０００６】
上記目的を達成するためになされた本考案のプラスチック製ウズラ卵カッターは、一端に指掛け部を備えると共に他端にウズラ卵を保持する環状保持部を備えたプラスチック製の第１部材と、一端に指掛け部を備えると共に他端にウズラ卵の内皮を切断し得る先鋭な刃先が形成された刃部を備えたプラスチック製の第２部材とを、前記環状保持部を前記刃部で塞いだ閉鎖位置と、前記環状保持部に前記刃部が重ならない開放位置との間で開閉可能となる様に、互いに回動可能に連結してなるハサミ型のウズラ卵カッターであって、さらに、以下の構成をも備えたことを特徴とする。
（１）前記刃部の下面には、下方に突出すると共に先端が刃先よりも飛び出した突起となる弧状の突条が一体形成されていること。
（２）前記環状保持部の上面には、前記弧状の突条を嵌り込ませる様に全体で弧を描く溝部分が形成されていること。
【０００７】
本考案のプラスチック製ウズラ卵カッターによれば、刃を閉じる方向に操作すると刃部の下面の突条が環状保持部の上面の溝部分に嵌り込んでガイドされ、がたつくことなく閉じる。このとき、環状保持部に挿入保持されたウズラ卵には最初に突条の先端の突起が当たって圧力を加えて割れ目を生じさせ、その後、刃先がウズラ卵の内皮を切断していく。従って、プラスチック製の刃先が傷みにくく、繰り返し使用しても性能が落ちることがない。なお、プラスチック製なので錆びることがない。
【０００８】
ここで、本考案のプラスチック製ウズラ卵カッターは、さらに、以下の構成をも備えるとより性能が向上する。
（３）前記環状保持部の保持孔は、刃部から逃げる方向にウズラ卵を傾かせて保持し得る様に斜めに傾斜し、表面を梨地にした孔として形成されていること。
【０００９】
（３）の構成をも備えることにより、本考案のプラスチック製ウズラ卵カッターは、ウズラ卵に刃部の突起が当たったときにウズラ卵をしっかりと環状保持部が受け止め、割れ目の形成がスムーズに実行される。
【００１０】
また、本考案のプラスチック製ウズラ卵カッターは、さらに、以下の構成をも備えるとより性能が向上する。
（４）前記第１部材と第２部材の一方に、円形孔と該円形孔よりも大径の裏面側円弧状窪みと、該円弧状窪みの一部を前記円形孔の中心に対して対称となる様に切り欠いて貫通させた切り欠き部とを形成し、前記第１部材と第２部材の他方に、前記円形孔に嵌り込む径の円筒を突出させると共に、該円筒の突出端に前記切り欠き部に嵌り込むと共に前記円弧状窪みに受け入れ可能な肉厚の張り出し部を形成し、さらに、該張り出し部の投影部分に対応して前記円筒の根元を切り欠いて貫通させ、前記第１部材と第２部材を、前記張り出し部が前記円弧状窪みに受け入れる様に前記円筒を前記円形孔に嵌り込ませて回転させることで、該第１部材と第２部材とが互いに回動可能となる連結構造を備えていること。
【００１１】
（４）の構成をも備えることにより、本考案のプラスチック製ウズラ卵カッターは、分解・組み立てが自由自在となり、分解した状態で水洗いすることができて衛生的である。また、分解することで組み立てた状態の約半分の厚さにすることができるから、販促品としてウズラ卵パックに添える場合に嵩張らないという効果も発揮させ得る。
【考案の効果】
【００１２】
本考案によれば、販促品としても使用可能で繰り返し使用しても性能が落ちることのないプラスチック製ウズラ卵カッターを提供することができる。
【図面の簡単な説明】
【００１３】
【図１】実施例のウズラ卵カッターを示し、（Ａ）は閉じた状態、（Ｂ）は開いた状態の平面図である。
【図２】実施例のウズラ卵カッターを示し、（Ａ）は分解した状態の平面図、（Ｂ）は分解した状態の背面図である。
【図３】実施例のウズラ卵カッターを示し、（Ａ）は要部の拡大平面図、（Ｂ）は環状保持部の拡大平面図、（Ｃ）は環状保持部の拡大背面図、（Ｄ）は刃部の拡大平面図、（Ｅ）は刃部の拡大背面図である。
【図４】従来技術の説明図である。
【考案を実施するための形態】
【００１４】
以下、本考案を実施するための形態を実施例で説明する。
【実施例】
【００１５】
実施例のプラスチック製ウズラ卵カッター１は、図１〜図３に示す様に、一端に指掛け部１１を備えると共に他端にウズラ卵を保持する環状保持部１２を備えたプラスチック製の第１部材１０と、一端に指掛け部２１を備えると共に他端にウズラ卵の内皮を切断し得る先鋭な刃先２２が形成された刃部２３を備えたプラスチック製の第２部材２０とを、環状保持部１２を刃部２３で塞いだ閉鎖位置と、環状保持部１２に刃部２３が重ならない開放位置との間で開閉可能となる様に、互いに回動可能に連結してなる。
【００１６】
第２部材２０の刃部２３の下面には、下方に突出すると共に先端が刃先２２よりも飛び出した突起２４となる弧状の突条２５が一体形成されている。これに対応する様に、環状保持部１２の上面には、弧状の突条２５を嵌り込ませる様に全体で弧を描く溝部分１３，１３が形成されている。
【００１７】
また、環状保持部１２の保持孔１４は、刃部２３から逃げる方向にウズラ卵を傾かせて保持し得る様に斜めに傾斜し、表面を梨地にした孔として形成されている。
【００１８】
さらに、第１部材１０には、円形孔１５と、この円形孔１５よりも大径の裏面側円弧状窪み１６と、この円弧状窪み１６の一部を円形孔１５の中心に対して対称となる様に切り欠いて貫通させた切り欠き部１７，１７とを形成してある。これに対応して、第２部材２０には、円形孔１５に嵌り込む径の円筒２６を下方に向かって突出させると共に、この円筒２６の突出端に切り欠き部１７，１７に嵌り込むと共に円弧状窪み１６に受け入れ可能な肉厚の張り出し部２７，２７を形成し、さらに、張り出し部２７，２７の投影部分に対応して円筒２６の根元を切り欠いて貫通部２８，２８を形成してある。そして、第１部材１０と第２部材２０を、張り出し部２７，２７が円弧状窪み１６に受け入れる様に円筒２６を円形孔１５に嵌り込ませて回転させることで、第１部材２０と第２部材２０とが互いに回動可能となる様に連結して組み立てられる。
【００１９】
実施例のプラスチック製ウズラ卵カッター１によれば、上述の通りの構成を採用したので、刃を閉じる方向に操作すると刃部２３の下面の突条２５が環状保持部１２の上面の溝部分１３，１３に嵌り込んでガイドされ、がたつくことなく閉じることができる。このとき、環状保持部１２に挿入保持されたウズラ卵には最初に突条２５の先端の突起２４が当たって圧力を加えて割れ目を生じさせ、その後、刃先２２がウズラ卵の内皮を切断していく。このとき、実施例のプラスチック製ウズラ卵カッター１は、ウズラ卵に刃部２３の突起２４が当たったときに、斜めの孔として形成された環状保持部１２がしっかりとウズラ卵を受け止め、割れ目の形成がスムーズに実行される。よって、プラスチック製の先鋭な刃先２２に無理な力が加わらず、刃先２２が傷みにくく、繰り返し使用しても性能が落ちることがない。
【００２０】
そして、上述の様な連結構造としたので、実施例のプラスチック製ウズラ卵カッター１は、分解・組み立てが自由自在となり、分解した状態で水洗いすることができて衛生的である。また、分解することで組み立てた状態の約半分の厚さにすることができるから、販促品としてウズラ卵パックに添える場合に嵩張らないという効果も発揮させ得る。加えて、上述の様な連結構造なので、第１部材及び第２部材をプラスチック射出成形によって容易に製造することができる。
【００２１】
この結果、実施例によれば、販促品としても使用可能で繰り返し使用しても性能が落ちることのないプラスチック製ウズラ卵カッターを提供することができる。そして、プラスチック製なので錆びることがない。
【００２２】
以上、考案を実施するための実施例を説明したが、本考案は、これに限定されるものではなく、その要旨を逸脱しない範囲内における種々の変更が可能である。
【産業上の利用可能性】
【００２３】
ウズラ卵を割るための調理器具として、さらにはウズラ卵の販売促進用のノベルティ商品としても使用することができる。
【符号の説明】
【００２４】
１・・・プラスチック製ウズラ卵カッター
１０・・・第１部材
１１・・・指掛け部
１２・・・環状保持部
１３・・・全体で弧を描く溝部分
１４・・・保持孔
１５・・・円形孔
１６・・・裏面側円弧状窪み
１７・・・切り欠き部
２０・・・第２部材
２１・・・指掛け部
２２・・・刃先
２３・・・刃部
２４・・・突起
２５・・・突条
２６・・・円筒
２７・・・張り出し部
２８・・・貫通部
【図１】
0003174793.tif 000003
【図２】
0003174793.tif 000004
【図３】
0003174793.tif 000005
【図４】
0003174793.tif 000006